(57)【要約】  鉄道車両の輪軸組立体の車軸を監視するための装置であって、装置は、輪軸組立体に取り付けられた無線センサノードを備え、輪軸組立体は、対向する車輪の間に搭載された車軸を含み、各車輪は、車軸の対向するそれぞれの端部に取り付けられ、無線センサノードは、輪軸組立体の振動からの機械的エネルギーを電気的エネルギーに変換するための振動エネルギーハーベスターと、パラメータを測定するためのセンサと、測定されたパラメータまたはそれに関連するデータを無線送信するための無線送信機とを含み、装置は、処理されたデータを生成するために、測定されたパラメータを処理するためのプロセッサを更に備え、センサは、車軸の端部に搭載された加速度計であり、センサおよびプロセッサは、それぞれ、車軸に沿った共振振動の形態である、車軸の衝突による振動周波数を測定および処理するように配置されている。
2021501097.tif 000002
【特許請求の範囲】
【請求項１】
鉄道車両の輪軸組立体の車軸を監視するための装置であって、
前記装置は、
輪軸組立体に取り付けられた無線センサノードを備え、
前記輪軸組立体は、対向する車輪の間に搭載された車軸を含み、
各車輪は、前記車軸の対向するそれぞれの端部に取り付けられ、
前記無線センサノードは、前記輪軸組立体の振動からの機械的エネルギーを電気的エネルギーに変換するための振動エネルギーハーベスターと、パラメータを測定するためのセンサと、測定された前記パラメータまたはそれに関連するデータを無線送信するための無線送信機とを含み、
前記装置は、処理されたデータを生成するために、測定された前記パラメータを処理するためのプロセッサを更に備え、
前記センサは、前記車軸の端部に搭載された加速度計であり、
前記センサおよび前記プロセッサは、それぞれ、前記車軸に沿った共振振動の形態である、車軸の衝突による振動周波数を測定および処理するように配置されている、装置。
【請求項２】
前記車軸に沿った共振振動は、１０００から２０００Ｈｚの周波数範囲内にある、請求項１に記載の装置。
【請求項３】
前記周波数範囲は、１２５０から１７５０Ｈｚである、請求項２に記載の装置。
【請求項４】
前記プロセッサは、前記無線センサノードと一体であり、
前記無線送信機は、処理された前記データを無線で送信するように配置されている、請求項１乃至３のいずれか一項に記載の装置。
【請求項５】
前記プロセッサは、
前記車軸に沿った、前記車軸の衝突による共振振動のための基準値を予め決定する基準値モジュールと、
既定の基準値に対して、前記車軸に沿った、車軸の衝突による現在の共振振動を比較する基準値比較モジュールと、
比較することにより、前記車軸に沿った、前記車軸の衝突による現在の共振振動のパラメータを決定するための分析モジュールとを含み、
前記パラメータは、前記処理されたデータの一部を含む、請求項１乃至４のいずれか一項に記載の装置。
【請求項６】
前記無線センサノードは、監視期間の間、連続的に作動されることにより、前記車軸に沿った、前記車軸の衝突による共振振動を連続的に測定するとともに、基準値に対して常に、前記車軸に沿った、前記車軸の衝突による共振振動を連続的に比較する、請求項５に記載の装置。
【請求項７】
前記プロセッサは、車軸への負荷に関連する既定の参照周波数値に対して、前記車軸に沿った、前記車軸の衝突による共振振動の周波数を比較するための比較モジュールと、比較することに基づいて、前記車軸への負荷を計算する計算モジュールとを含む負荷計算モジュールを含む、請求項１乃至６のいずれか一項に記載の装置。
【請求項８】
前記装置は、２つの前記無線センサノードを備え、
各無線センサノードは、前記車軸の対向するそれぞれの端部に取り付けられ、
各無線センサノードは、前記車軸のそれぞれの端部に搭載された加速度計であるセンサを含む、請求項１乃至７のいずれか一項に記載の装置。
【請求項９】
前記装置は、
第１の無線センサノードの前記センサによって測定された、前記車軸に沿った、前記車軸の衝突による共振振動の第１の周波数を、第２の無線センサノードの前記センサによって測定された、前記車軸に沿った、前記車軸の衝突による共振振動の第２の周波数に対して比較するための、前記プロセッサ内の測定比較モジュールと、
比較することに基づいて、前記車軸に沿った前記共振振動を計算するための、前記プロセッサ内の比較出力モジュールと、を更に含む、請求項８に記載の装置。
【請求項１０】
前記測定比較モジュールは、前記第１の無線センサノードおよび前記第２の無線センサノードのそれぞれの前記センサによって測定された、前記車軸に沿った、前記車軸の衝突による共振振動の１つ以上の調波周波数の異なる比率を比較する、請求項９に記載の装置。
【請求項１１】
前記鉄道車両は、機関車、客車または貨物車両若しくは貨車である、請求項１乃至１０のいずれか一項に記載の装置。
【請求項１２】
鉄道車両の輪軸組立体の車軸を監視するための方法であって、
前記輪軸組立体は、対向する車輪の間に搭載された車軸を含み、
各車輪は、前記車軸の対向するそれぞれの端部に取り付けられ、
前記方法は、
ａ．前記輪軸組立体に取り付けられた無線センサノードを提供するステップであって、
前記無線センサノードが、
前記輪軸組立体の振動からの機械的エネルギーを電気的エネルギーに変換するための振動エネルギーハーベスターと、
パラメータを測定するためのセンサであって、前記車軸の端部に搭載された加速度計であるセンサと、
測定された前記パラメータまたはそれに関連するデータを無線送信するための無線送信機とを含む、ステップと、
ｂ．前記鉄道車両が動いている間に、前記振動エネルギーハーベスターが、前記無線送信機に電力を供給するために、電気的エネルギーに変換される入力振動エネルギーを受けるステップと、
ｃ．前記鉄道車両が動いている間に、前記センサを使用して、前記車軸の衝突による共振振動周波数を測定するステップであって、前記センサが、前記車軸に沿った共振振動を測定するステップと、
ｄ．前記鉄道車両が動いている間に、前記無線送信機を使用して、測定された、前記車軸の衝突による共振振動周波数またはそれに関連するデータを無線送信するステップと、
ｅ．処理されたデータを生成するために、前記車軸に沿った前記共振振動の、測定された、前記車軸の衝突による振動周波数を処理するステップと、を備える、方法。
【請求項１３】
前記車軸に沿った共振振動は、１０００から２０００Ｈｚの周波数範囲内にある、請求項１２に記載の方法。
【請求項１４】
前記周波数範囲は、１２５０から１７５０Ｈｚである、請求項１３に記載の方法。
【請求項１５】
前記ステップ（ｅ）において、前記無線センサノードと一体であるプロセッサによって、前記処理されたデータが処理され、
前記ステップ（ｄ）において、前記処理されたデータが無線送信される、請求項１２乃至１４のいずれか一項に記載の方法。
【請求項１６】
前記処理するステップ（ｅ）は、ステップ（ｃ）およびステップ（ｄ）とリアルタイムで同時に実行される、請求項１２乃至１５のいずれか一項に記載の方法。
【請求項１７】
前記処理するステップ（ｅ）は、
（ｉ）前記車軸に沿った、前記車軸の衝突による共振振動のための既定の基準値に対して、前記車軸に沿った、車軸の衝突による現在の共振振動を比較するサブステップと、
（ｉｉ）比較することにより、前記車軸に沿った、前記車軸の衝突による現在の共振振動のパラメータを決定するサブステップであって、前記パラメータが、前記処理されたデータの一部を含むサブステップとを含む、請求項１２乃至１６のいずれか一項に記載の方法。
【請求項１８】
前記無線センサノードは、監視期間の間、連続的に作動されることにより、前記車軸に沿った、前記車軸の衝突による共振振動を連続的に測定し、
前記ステップ（ｅ）において、前記車軸に沿った、前記車軸の衝突による共振振動は、常に、既定の基準値に対して連続的に比較される、請求項１８に記載の方法。
【請求項１９】
前記処理するステップ（ｅ）は、
（Ｉ）車軸への負荷に関連する既定の参照周波数値に対して、前記車軸に沿った、前記車軸の衝突による共振振動の周波数を比較するサブステップと、
（ＩＩ）比較することに基づいて、前記車軸への負荷を計算するサブステップとを含む、請求項１２乃至１８のいずれか一項に記載の方法。
【請求項２０】
前記ステップ（ａ）において、
前記装置は、２つの前記無線センサノードを備え、
各無線センサノードは、前記車軸の対向するそれぞれの端部に取り付けられ、
各無線センサノードは、前記車軸のそれぞれの端部に搭載された加速度計であるそれぞれのセンサを含み、
各無線センサノードは、測定された、前記車軸の衝突による共振振動周波数に対するデータを提供するために、前記車軸の衝突によるそれぞれの共振振動周波数値を測定するように作動される、請求項１２乃至１９のいずれか一項に記載の方法。
【請求項２１】
前記処理するステップ（ｅ）は、
（ｘ）第１の無線センサノードの前記センサによって測定された、前記車軸に沿った、前記車軸の衝突による共振振動の第１の周波数を、第２の無線センサノードの前記センサによって測定された、前記車軸に沿った、前記車軸の衝突による共振振動の第２の周波数に対して比較するサブステップと、
（ｙ）比較することに基づいて、前記車軸に沿った前記共振振動を計算するサブステップとを含む、請求項２０に記載の方法。
【請求項２２】
サブステップ（ｘ）は、前記第１の無線センサノードおよび前記第２の無線センサノードのそれぞれの前記センサによって測定された、前記車軸に沿った、前記車軸の衝突による共振振動の１つ以上の調波周波数の異なる比率を比較することを含む、請求項２０に記載の方法。
【請求項２３】
前記鉄道車両は、機関車、客車または貨物車両若しくは貨車である、請求項１２乃至２２のいずれか一項に記載の方法。
【発明の詳細な説明】
【技術分野】
【０００１】
本発明は、鉄道車両の輪軸組立体の車軸を監視するための装置を提供する。また、本発明は、鉄道車両の輪軸組立体の車軸を監視するための方法を提供する。
【背景技術】
【０００２】
鉄道の車軸の破損は、鉄道の歴史を通じて重大な鉄道事故の原因の１つであり、金属疲労に対する調査が始められている。運転中における鉄道の車軸の破損を防止するためには、車軸の検査を実行するとともに、車軸の亀裂を検査した後に車軸の端部の装置を誤って再組み立てした場合には損傷を修復する、といった重要な追加のメンテナンス作業が発生する。
【０００３】
運転中または最小限の介入によるメンテナンス中に、車軸の亀裂の形成を調査する重要な作業があるが、車軸の亀裂の監視装置を（運転中に）大規模に展開することに成功した試験はない。これは、部分的には、目標の亀裂に依存する測定が、運転中の列車に存在する他の全ての騒音との関連で実行することが本質的に困難であることが原因であるとともに、エネルギーおよび情報が利用しにくいため、鉄道の車軸の端部の振動と騒音とを監視することが難しいことが原因である。
【０００４】
振動エネルギーハーベスターを備え、車軸の端部に搭載された無線センサノードの最近の開発は、この問題の一部を解決している。しかしながら、線路上の車輪の相互作用によって生成される騒音から、車軸の破損による追加の振動を区別することは、両者が所定の速度での車輪の回転から駆動される同一の基本周波数を有するため、依然として困難である。
【０００５】
従来技術では、鉄道の車軸の亀裂を測定する従来の取り組みは、車軸が曲がるような破壊による破壊音、または車軸の曲げによって引き起こされる振動、および亀裂が進展するときの振動の変化を検査している。これらの検査は、運転中の検査ではなく、検査リグで行われている。
【０００６】
振動式無線センサノード（vibration powered wireless sensor nodes）（ＷＳＮｓ）は、鉄道車両の軸受、線路および車輪の健全さを検出するために使用されている。センサは、上述したように振動を監視するが、監視する周波数は５００Ｈｚに制限されている。
【０００７】
したがって、当該技術分野では、知られた装置および方法と比較して、改善された測定を提供することができる、鉄道車両の輪軸組立体の車軸を監視するための装置および方法の必要性がある。
【０００８】
また、当該技術分野では、運転中の車軸の状態を、好ましくはリアルタイムで監視することができる、鉄道車両の輪軸組立体の車軸を監視するための装置および方法の必要性がある。
【０００９】
さらに、当該技術分野では、運転中の車軸の状態を監視することができるとともに、車軸についての少なくとも１つの追加の作動パラメータまたは動作パラメータを、再び運転中、好ましくはリアルタイムで提供することができる、鉄道車両の輪軸組立体の車軸を監視するための装置および方法の必要性がある。
【発明の概要】
【発明が解決しようとする課題】
【００１０】
本発明は、少なくとも部分的に、これらの必要性の１つ以上を満たすことを目的とする。
【課題を解決するための手段】
【００１１】
したがって、本発明は、
鉄道車両の輪軸組立体の車軸を監視するための装置を提供し、
前記装置は、
輪軸組立体に取り付けられた無線センサノードを備え、
前記輪軸組立体は、対向する車輪の間に搭載された車軸を含み、
各車輪は、前記車軸の対向するそれぞれの端部に取り付けられ、
前記無線センサノードは、前記輪軸組立体の振動からの機械的エネルギーを電気的エネルギーに変換するための振動エネルギーハーベスターと、パラメータを測定するためのセンサと、測定された前記パラメータまたはそれに関連するデータを無線送信するための無線送信機とを含み、
前記装置は、処理されたデータを生成するために、測定された前記パラメータを処理するためのプロセッサを更に備え、
前記センサは、前記車軸の端部に搭載された加速度計であり、
前記センサおよび前記プロセッサは、それぞれ、前記車軸に沿った共振振動の形態である、車軸の衝突による振動周波数（axle percussion vibration frequency）を測定および処理するように配置されている。
【００１２】
また、本発明は、
鉄道車両の輪軸組立体の車軸を監視するための方法を提供し、
前記輪軸組立体は、対向する車輪の間に搭載された車軸を含み、
各車輪は、前記車軸の対向するそれぞれの端部に取り付けられ、
前記方法は、
ａ．前記輪軸組立体に取り付けられた無線センサノードを提供するステップであって、
前記無線センサノードが、
前記輪軸組立体の振動からの機械的エネルギーを電気的エネルギーに変換するための振動エネルギーハーベスターと、
パラメータを測定するためのセンサであって、前記車軸の端部に搭載された加速度計であるセンサと、
測定された前記パラメータまたはそれに関連するデータを無線送信するための無線送信機とを含む、ステップと、
ｂ．前記鉄道車両が動いている間に、前記振動エネルギーハーベスターが、前記無線送信機に電力を供給するために、電気的エネルギーに変換される入力振動エネルギーを受けるステップと、
ｃ．前記鉄道車両が動いている間に、前記センサを使用して、前記車軸の衝突による共振振動周波数を測定するステップであって、前記センサが、前記車軸に沿った共振振動を測定するステップと、
ｄ．前記鉄道車両が動いている間に、前記無線送信機を使用して、測定された、前記車軸の衝突による共振振動周波数またはそれに関連するデータを無線送信するステップと、
ｅ．処理されたデータを生成するために、前記車軸に沿った前記共振振動の、測定された、前記車軸の衝突による振動周波数を処理するステップと、を備える。
【００１３】
本発明の装置および方法の好ましい特徴は、それぞれの従属請求項に規定されている。
【００１４】
本発明の好ましい実施形態の装置および方法は、任意にリアルタイムで運転中の鉄道の車軸の測定を提供するといった問題を解決し、当該測定は、亀裂の検出のためのプロトコルおよび任意に車軸への負荷の測定のためのプロトコルに利用され得る。鉄道車両が線路に沿って移動するとき、車輪とレールとの相互作用による複数の衝撃がある。車軸組立体は、衝撃に応じて振動する。振動エネルギー式の無線センサは、車輪とレールとの相互作用によって刺激された輪軸の鳴動を検出するとともに、振動を分析し、更なる分析のための主要なパラメータを送信する。
【００１５】
本発明の好ましい実施形態の装置および方法は、衝突による振動が運転中の車軸を検査するために使用されることができ、リアルタイムでの測定および分析が、車軸の状態を監視するために使用されることができるとともに、車軸への負荷を測定するために使用されることができる、といった本発明者らによる研究結果に基づいている。
【００１６】
衝突による振動は、車輪／線路の接触面からの輪軸組立体への衝撃により発生する。したがって、好ましい実施形態は、車軸の健全さおよび車軸への負荷の変化を検出するために、車輪とレールとの衝撃によって引き起こされた車軸の「鳴動」の影響を利用する。衝突による振動の測定は、振動エネルギーハーベスターを備える加速度計が搭載された車軸の端部を使用して行われる。
【００１７】
本発明は、輪軸の運転期間中、リアルタイムで測定された、車輪とレールとの衝撃が、輪軸の振動を引き起こすために使用されることができ、その振動が、車軸の様子または状態、特に車軸における亀裂の有無および／または車軸への負荷を検出するために使用されることができる、といった本発明者らによる研究結果に基づいている。
【００１８】
対照的に、知られた車軸検査方法は、車軸の状態および／または車軸への負荷などの作業状態／動作状態を診断するために、衝突による振動、特に輪軸の運転期間中、リアルタイムで測定された衝突による振動を使用しない。
【００１９】
上述したように、従来技術では、振動式無線センサノード（ＷＳＮｓ）が鉄道車両の軸受、線路および車輪の健全さを検出するために使用され、センサが振動を監視するが、監視する周波数は５００Ｈｚに制限されており、車軸の衝突による振動を検出するためには低すぎる。車軸の検査が予め検査リグで実行されている場合、他の振動モード、特に衝突による振動モードを引き起こすような衝撃はない。
【００２０】
本発明の好ましい実施形態では、衝突による振動モードは、典型的には１０００から２０００Ｈｚ、より典型的には１２５０から１７５０Ｈｚの周波数範囲内にあり、例えば約１５００Ｈｚである。これらの周波数は、鉄道車両の軸受、線路および車輪の健全さを検出するために使用される知られた振動式無線センサノード（ＷＳＮｓ）で使用される最大５００Ｈｚの周波数よりも高くなっている。
【００２１】
本発明の実施形態は、添付の図面を参照して、単なる例示として説明されるであろう。
【図面の簡単な説明】
【００２２】
【図１】図１は、本発明の実施形態による鉄道車両の輪軸組立体の構成要素を監視するための装置を示す概略端面図である。
【図２】図２は、図１に示す装置の処理システムを示す概略図である。
【図３】図３は、図１に示す装置のセンサが、運転中の旅客列車からの高帯域振動測定（high bandwidth vibration measurements）に使用されたときの、センサの出力を表す概略グラフである。
【発明を実施するための形態】
【００２３】
図１乃至図３を参照すると、鉄道車両８の輪軸組立体６の構成要素４を監視するための装置２が示されている。鉄道車両８は、機関車、客車または貨物車両若しくは貨車であってもよい。輪軸組立体６は、監視される構成要素であって、対向する車輪１０、１２の間に搭載された車軸４を含んでいる。各車輪１０、１２は、車軸４の対向するそれぞれの端部１４、１６に取り付けられている。走行時には、車輪１０、１２は、鉄道の線路５４のそれぞれのレール５０、５２上を走行する。
【００２４】
無線センサノード１８は、輪軸組立体６に取り付けられている。図示された実施形態では、無線センサノード１８は、輪軸組立体６の振動からの機械的エネルギーを電気的エネルギーに変換するための振動エネルギーハーベスター２０を備えている。センサ２２は、パラメータを測定するために設けられ、特に、センサ２２は、車軸４の端部１４、１６に搭載された加速度計である。更なる処理および／または分析のために、測定されたパラメータまたはそれに関連するデータを遠隔地に無線送信するための無線送信機２４が設けられている。遠隔地は、検査済みの輪軸組立体６を含む鉄道車両８内であってもよく、または輪軸組立体６を含む、機関車内若しくは列車のその他の車両内であってもよい。通常、列車内の各輪軸組立体６は、本明細書に記載される監視装置を有している。
【００２５】
好ましくは、図示されるように、装置２は、２つの無線センサノード１８を備えている。各無線センサノード１８は、車軸４の対向するそれぞれの端部１４、１６に取り付けられ、各無線センサノード１８は、車軸４のそれぞれの端部１４、１６に搭載された加速度計である、それぞれのセンサ２２を含んでいる。
【００２６】
装置２は、処理されたデータを生成するために、測定されたパラメータを処理するためのプロセッサ２６を更に備えている。図示された実施形態では、プロセッサ２６は無線センサノード１８と一体であり、無線送信機２４は、処理されたデータを無線で送信するように配置されている。しかしながら、代替の実施形態では、プロセッサ２６は、無線センサノード１８から離れており、無線送信機２４は、処理されたデータを生成するために、プロセッサ２６によって遠隔処理される測定されたデータを無線で送信するように配置されている。
【００２７】
センサ２２およびプロセッサ２６は、それぞれ、車軸の衝突による振動、特に、車軸に沿った共振振動の形態である、車軸の衝突による振動を測定および処理するように配置されている。車軸に沿った共振振動は、典型的には１０００から２０００Ｈｚ、より典型的には１２５０から１７５０Ｈｚの周波数範囲内にあり、例えば約１５００Ｈｚである。
【００２８】
センサ２２は、衝突による振動を測定し、その測定から、衝突による振動の周波数が決定される。決定される周波数は、車軸の状態と車軸への負荷に依存する。
【００２９】
プロセッサ２６は、車軸の衝突による振動のための基準値を予め決定する基準値モジュール２８と、既定の基準値に対して、車軸の衝突による現在の振動を比較する基準値比較モジュール３０と、比較することにより、車軸の衝突による現在の振動のパラメータを決定するための分析モジュール３２とを含んでいる。パラメータは、処理されたデータの一部を含んでいる。通常、無線センサノード１８は、監視期間の間、連続的に作動されることにより、車軸の衝突による振動を連続的に測定するとともに、基準値に対して常に、車軸の衝突による振動を連続的に比較する。
【００３０】
これらの構成要素は、車軸の衝突による振動周波数値が、連続的に測定されることを可能にするとともに、暗騒音を除去または最小限に抑えるように、基準値に対して比較されることを可能にする。測定された周波数値は、リアルタイムかつ輪軸組立体６の運転中に、車軸の状態の兆候を提供するために使用され得る。
【００３１】
好ましい実施形態では、プロセッサ２６は、車軸への負荷に関連する既定の参照周波数値に対して、車軸の衝突による振動の周波数を比較するための比較モジュール３６と、比較することに基づいて、車軸への負荷を計算する計算モジュール３７とを含む負荷計算モジュール３４を含んでいる。
【００３２】
これらの構成要素は、車軸の衝突による振動周波数値が、連続的に測定されることを可能にするとともに、リアルタイムかつ輪軸組立体６の運転中に、車軸への負荷の兆候を提供するために、調整された参照値に対して比較されることを可能にする。
【００３３】
上述し、図示されたように、好ましくは、装置２は、２つの無線センサノード１８を備えている。これらのノード１８は、独立して作動されてもよい。装置２は、第１の無線センサノード１８のセンサ２２によって測定された、車軸の衝突による振動の第１の周波数を、第２の無線センサノード１８のセンサ２２によって測定された、車軸の衝突による振動の第２の周波数に対して比較するための、プロセッサ２６内の測定比較モジュール３８を更に備えていてもよい。プロセッサ２６内の比較出力モジュール４０は、比較することに基づいて、車軸４に沿った共振振動を計算するために提供される。測定比較モジュール３８は、第１の無線センサノード１８および第２の無線センサノード１８のそれぞれのセンサ２２によって測定された、車軸の衝突による振動の１つ以上の調波周波数の異なる比率を比較する。
【００３４】
装置２は、輪軸組立体６の構成要素、特に車軸４を監視する方法で使用される。
【００３５】
この方法では、上述した無線センサノード１８が、輪軸組立体６に取り付けられ、センサ２２、特に加速度計が、車軸４の端部１４、１６に搭載される。上述したように、好ましい実施形態では、２つの無線センサノード１８があり、各々が輪軸組立体６に取り付けられ、各それぞれのセンサ２２は、車軸４のそれぞれの端部１４、１６に搭載されている。
【００３６】
鉄道車両が動いている間に、振動エネルギーハーベスター２０が、無線送信機２４に電力を供給するために、電気的エネルギーに変換される入力振動エネルギーを受ける。プロセッサ２６が無線センサノード１８に組み込まれている場合、振動エネルギーハーベスター２０は、プロセッサ２６を作動するために、電気的エネルギーを提供してもよい。振動エネルギーハーベスター２０は、無線センサノード１８の他の構成要素を作動するために、電気的エネルギーを提供してもよい。
【００３７】
また、鉄道車両が動いている間や運転期間中、車軸の衝突による振動がセンサ２２を使用して測定され、測定された、車軸の衝突による振動またはそれに関連するデータが、無線送信機２４を使用して無線送信される。
【００３８】
センサは車軸に沿った共振振動を測定し、車軸に沿った共振振動は、典型的には１０００から２０００Ｈｚ、より典型的には１２５０から１７５０Ｈｚの周波数範囲内にあり、例えば約１５００Ｈｚである。センサ２２は、衝突による振動を測定し、その測定から、衝突による振動の周波数が決定される。決定される周波数は、車軸の状態と車軸への負荷に依存する。
【００３９】
図３は、装置が運転中の旅客列車からの高帯域振動測定に使用されたときのグラフの例であり、このグラフは、センサ出力ｄＢと周波数Ｈｚとの関係を示している。グラフは、本発明の装置を使用して運転中に検査された特定の輪軸に関するセンサ出力の振動スペクトルを示している。この例では、約１５００Ｈｚを中心とする周波数において、明確な振動出力ピークプロファイルが示されている。列車の輪軸の車軸からの衝突による振動は、通常、この範囲に含まれるが、振動出力ピークプロファイルは、車軸と輪軸との間で異なり得る。
【００４０】
測定された、車軸の衝突による振動、特に車軸４に沿った共振振動のデータは、衝突による振動の周波数を含み得る処理されたデータを生成するために、無線センサノード１８と一体であるか、または無線センサノード１８から離れているプロセッサ２６によって処理される。
【００４１】
処理されたデータが無線センサノード１８と一体であるプロセッサ２６によって処理されるとき、処理されたデータは無線送信される。
【００４２】
プロセッサ２６による処理は、車軸の衝突による振動を測定し、車軸の衝突による振動またはそれに関連するデータを送信するための測定ステップおよび送信ステップとリアルタイムで同時に実行される。
【００４３】
好ましい実施形態では、処理するステップは、（ｉ）車軸の衝突による振動のための既定の基準値に対して、車軸の衝突による現在の振動を比較するサブステップと、（ｉｉ）比較することにより、車軸の衝突による現在の振動のパラメータを決定するサブステップであって、パラメータが、処理されたデータの一部を含むサブステップとを含んでいる。好ましくは、無線センサノードは、監視期間の間、連続的に作動されることにより、車軸の衝突による振動を連続的に測定する。処理の間、車軸の衝突による振動周波数は、常に、既定の基準値に対して連続的に比較される。このようにして、車軸の衝突による振動周波数値は、連続的に測定され、暗騒音を除去または最小限に抑えるように、基準値に対して比較されることが可能になる。そして、車軸の衝突による振動周波数値は、車軸の状態の兆候を提供することができる、車軸の衝突による振動周波数の正確な値を提供することができる。これは、亀裂やその他の欠陥が車軸にあるかどうかを分析するために使用されることができる。
【００４４】
この方法および装置は、車軸への負荷を測定するために使用されてもよい。処理するステップ（ｅ）は、好ましくは、（Ｉ）車軸への負荷に関連する既定の参照周波数値に対して、車軸の衝突による振動の周波数を比較するサブステップと、（ＩＩ）比較することに基づいて、車軸への負荷を計算するサブステップとを含んでいる。これは、測定された、車軸の衝突による振動周波数が既定の参照周波数値に対して調整されることを可能にし、車軸への負荷が計算されることを可能にする。
【００４５】
装置が、２つの無線センサノード１８を備えている場合、各無線センサノード１８は、上述したように、車軸４の対向するそれぞれの端部１４、１６に取り付けられ、各無線センサノード１８は、測定された、車軸の衝突による振動に対するデータを提供するために、車軸の衝突によるそれぞれの振動周波数値を測定するように作動される。処理するステップ（ｅ）において、好ましくは、（ｘ）第１の無線センサノード１８のセンサ２２によって測定された、車軸の衝突による振動の第１の周波数を、第２の無線センサノード１８のセンサ２２によって測定された、車軸の衝突による振動の第２の周波数に対して比較するサブステップと、（ｙ）比較することに基づいて、車軸に沿った共振振動を計算するサブステップとが存在する。比較は、典型的には、第１の無線センサノード１８および第２の無線センサノード１８のそれぞれのセンサ２２によって測定された、車軸の衝突による振動の１つ以上の調波周波数の異なる比率を比較する。
【００４６】
本発明の好ましい実施形態は、車軸の亀裂の形成の目的においては従来技術では調査されていない振動を監視するために、振動エネルギーハーベスターからの利用可能な電力を利用する装置および関連する方法を提供する。特に、車軸における衝突による振動が監視される。衝突による振動は、共振周波数において、車軸の「鳴動」を引き起こす。共振周波数が変化した場合、または衝突による振動が、所望の共振周波数における車軸の「鳴動」を引き起こさない場合、車軸の潜在的な欠陥が強調されるとともに更に調査され得る。この監視プロトコルは、運転中およびリアルタイムで実施され得る。
【００４７】
本発明の好ましい実施形態は、衝突による振動が車輪とレールとの衝撃によって引き起こされることを提供するとともに、衝突による振動が、組立体が衝撃エネルギーを受けたときに存在する、車輪および車軸組立体を含む輪軸の固有振動、すなわち共振周波数で発生することを提供する。車軸の様子を監視するために車輪とレールとの衝撃によって引き起こされる振動を使用することは、車軸の健全さ／状態を監視することへの新しいアプローチであり、多くの技術的利点を示している。
【００４８】
第１に、衝突による振動周波数は車軸への負荷に依存するため、貨物車両と車軸への負荷とを監視することができる。
【００４９】
第２に、車軸の様子の小さな変化が、監視可能な振動周波数スペクトルの変化を生み出すため、装置および方法が高感度を有する。
【００５０】
第３に、衝突による振動の周波数出力は、システム内の他の振動騒音源よりも高く、典型的には約１５００Ｈｚであり、分析されるための騒音のないまたは低騒音の信号を提供する。
【００５１】
第４に、衝突による振動周波数は列車の速度に依存しないため、他の騒音源から区別されることができる。
【００５２】
第５に、振動式無線センサノード（ＷＳＮ）からの連続的またはほぼ連続的な監視は、衝突による振動のための基準値の確立を可能にし、任意の車軸のための、衝突による振動周波数における信頼性の高い分析を可能にする。
【００５３】
第６に、衝突による振動周波数と知られた負荷との経時的な相関は、衝突による振動周波数の負荷感知能力の調整を可能にし、車軸への負荷が計算されることを可能にする。
【００５４】
第７に、車軸の両端部で行われた測定の（例えば、高調波の異なる比率の）比較は、装置の感度を高めることができる。
【００５５】
第８に、長期の測定は、衝突による振動周波数の経時的な変化のための一貫した傾向を得ることを可能にし、装置および方法の感度を更に高めて、信頼性の高い、車軸の状態監視および車軸への負荷測定を達成することができる。
【００５６】
本発明の好ましい実施形態に対する様々な修正は、当業者には明らかであろう。
【図１】
2021501097.tif 000003
【図２】
2021501097.tif 000004
【図３】
2021501097.tif 000005
【国際調査報告】
2021501097.tif 000006
2021501097.tif 000007
2021501097.tif 000008